(57)【要約】【課題】発光素子の光を異なる２つの面のどちらからでも視認可能なＵＳＢデバイスおよびそのＵＳＢデバイスを内蔵して使用する電子機器を提供する。【解決手段】ＵＳＢデバイス２０は、互いに交差する２つの面２１ａ，２１ｂを有するケース２１と、ケース２２と、ケース２１内に設けられたＬＥＤ３２と、ケース２１に設けられたＬＥＤ３２が発する光をケース２１外へ透過させる導光部２４とを備え、導光部２４は、ケース２１の面２１ａと面２１ｂとがなす角部に配置されている。プロジェクター１は、ＵＳＢデバイス２０が接続された状態で、ＵＳＢデバイス２０のケース２１の少なくとも一部を覆う蓋部１０を備え、蓋部１０には、ＵＳＢデバイス２０のＬＥＤ３２が発する光を外部へ透過させる開口部１１が設けられている。【選択図】図４
2011221684.tif 000002
【特許請求の範囲】
【請求項１】
電子機器に接続されるＵＳＢデバイスであって、
互いに交差する２つの面を有するケースと、
前記ケース内に設けられた発光素子と、
前記ケースに設けられた、前記発光素子が発する光を前記ケース外へ透過させる導光部と、を備え、
前記導光部は、前記２つの面同士がなす角部に配置されていることを特徴とするＵＳＢデバイス。
【請求項２】
請求項１に記載のＵＳＢデバイスであって、
前記ケース内に、前記ケースと前記導光部との隙間を覆うように設けられた静電気防護板をさらに備えていることを特徴とするＵＳＢデバイス。
【請求項３】
請求項１または２に記載のＵＳＢデバイスを接続可能な電子機器であって、
前記ＵＳＢデバイスが接続された状態で、前記ＵＳＢデバイスの前記ケースの少なくとも一部を覆うカバー部材を備え、
前記カバー部材には、前記ＵＳＢデバイスの前記発光素子が発する光を外部へ透過させる開口部が設けられていることを特徴とする電子機器。
【請求項４】
請求項３に記載の電子機器であって、
前記カバー部材は、接続された前記ＵＳＢデバイスにおける前記ケースの前記２つの面のそれぞれを覆う部分を有し、
前記開口部は、前記カバー部材における前記２つの面を覆う前記部分のいずれかに設けられていることを特徴とする電子機器。
【請求項５】
請求項３に記載の電子機器であって、
前記ＵＳＢデバイスが接続された状態で、前記ケースの前記２つの面のいずれかが前記開口部において前記カバー部材から露出することを特徴とする電子機器。
【発明の詳細な説明】
【技術分野】
【０００１】
本発明は、ＵＳＢデバイスおよび電子機器に関する。
【背景技術】
【０００２】
コンピューターをはじめとする様々な電子機器にインターフェイス拡張カードやＵＳＢ（Universal Serial Bus）デバイス等の周辺装置を接続して、電子機器との間でデータの授受を行ったり、電子機器に無線通信機能を付加したりすることが可能になっている。このような周辺装置では、一般に、その動作状況を表示するためＬＥＤ（Light Emitting Diode）等の発光素子が設けられている（例えば、特許文献１参照）。
【０００３】
特許文献１に記載の無線カードでは、発光素子（ＬＥＤ）が表側ケースの内側に配置されており、発光素子の点灯／消灯により無線カードの動作状況が表示されるようになっている。発光素子が発する光は、表側ケースに設けられた導光部（レンズ）を通して表側ケースの外側から視認される。
【０００４】
一方、電子機器においては、外観の見栄えを重視して、周辺装置を接続した際に電子機器と周辺装置とが調和して見えるようにデザインされた製品が登場している。このような電子機器では、例えば、電子機器の筐体（ケース）と接続される周辺装置のケースとが一体的に見える形状や外観等を有している。そのため、電子機器に周辺装置を接続した際の見栄えが向上するが、その反面、形状や外観等の制約により接続できる周辺装置が限定されてしまう場合がある。
【０００５】
そこで、周辺装置を接続して使用する際に電子機器の筐体内に周辺装置の一部または全体を収納して、周辺装置の形状や外観等による制約を受けにくくした製品も登場している。このような電子機器では、周辺装置が筐体内に収納されていても発光素子が発する光が筐体外から視認できるように、電子機器の筐体に開口部等が設けられる。
【先行技術文献】
【特許文献】
【０００６】
【特許文献１】特開２００６−１３３９２０号公報
【発明の概要】
【発明が解決しようとする課題】
【０００７】
しかしながら、特許文献１に記載の無線カードのような構成の周辺装置では、導光部が設けられた表側ケース以外の面、例えば側面等からは発光素子が発する光を視認することができない。周辺装置において異なる２つの面から発光素子が発する光を視認できるようにするには、それぞれの面の内側に発光素子が必要となるとともに、発光素子の駆動を制御する素子も必要となるため、周辺装置の材料コストや製造コストが上昇するという課題がある。
【０００８】
また、このような周辺装置を筐体内に収納する電子機器においては、筐体に開口部を配置できる面が、周辺装置の発光素子が配置された側に対応する面に限定されてしまう。そのため、電子機器の筐体内の限られたスペースに周辺装置を収納しつつ特定の面に開口部を配置しなければならず、電子機器の設計において制約を受けることとなり、周辺装置としては汎用性が低下してしまうという課題がある。
【課題を解決するための手段】
【０００９】
本発明は、上述の課題の少なくとも一部を解決するためになされたものであり、以下の形態又は適用例として実現することが可能である。
【００１０】
［適用例１］本適用例に係るＵＳＢデバイスは、電子機器に接続されるＵＳＢデバイスであって、互いに交差する２つの面を有するケースと、前記ケース内に設けられた発光素子と、前記ケースに設けられた、前記発光素子が発する光を前記ケース外へ透過させる導光部と、を備え、前記導光部は、前記２つの面同士がなす角部に配置されていることを特徴とする。
【００１１】
この構成によれば、発光素子が発する光をケース外へ透過させる導光部が、ケースの２つの面同士がなす角部に配置されているので、一つの発光素子が発する光を２つの面の双方の側から視認することができる。このため、２つの面のそれぞれに発光素子を設ける場合に比べて、発光素子を一つにすることができるとともに発光素子の駆動を制御する回路部品も一組でよいので、ＵＳＢデバイスの材料コストや製造コストを抑えることができる。
【００１２】
［適用例２］上記適用例に係るＵＳＢデバイスであって、前記装ケース内に、前記ケースと前記導光部との隙間を覆うように設けられた静電気防護板をさらに備えていることが好ましい。
【００１３】
この構成によれば、静電気がケースと導光部との隙間からケース内に侵入しても、ケースと導光部との隙間を覆うように静電気防護板が設けられているので、静電気が発光素子や発光素子の駆動を制御する回路部品等の電子部品が実装された回路基板に到達し難くなる。これにより、発光素子や回路部品等の電子部品の静電気による破壊を抑えることができる。
【００１４】
［適用例３］本適用例に係る電子機器は、上記に記載のＵＳＢデバイスを接続可能な電子機器であって、前記ＵＳＢデバイスが接続された状態で、前記ＵＳＢデバイスの前記ケースの少なくとも一部を覆うカバー部材を備え、前記カバー部材には、前記ＵＳＢデバイスの前記発光素子が発する光を外部へ透過させる開口部が設けられていることを特徴とする。
【００１５】
この構成によれば、ＵＳＢデバイスが電子機器に接続された状態では、電子機器が備えるカバー部材にケースの少なくとも一部が覆われ、カバー部材には発光素子が発する光を外部へ透過させる開口部が設けられている。ＵＳＢデバイスの発光素子が発する光はケースの２つの面の双方の側から視認できるので、これらの２つの面のいずれの側がカバー部材の開口部が設けられた部分に配置されても、発光素子が発する光を電子機器の外部から視認できる。これにより、電子機器におけるＵＳＢデバイスの配置に関する制約が緩和されるので、電子機器の設計や外装デザインにおける自由度が向上するとともに、構成の異なる電子機器で同じＵＳＢデバイスを共通使用することが可能となる。
【００１６】
［適用例４］上記適用例に係る電子機器であって、前記カバー部材は、接続された前記ＵＳＢデバイスにおける前記ケースの前記２つの面のそれぞれを覆う部分を有し、前記開口部は、前記カバー部材における前記２つの面を覆う前記部分のいずれかに設けられていることが好ましい。
【００１７】
この構成によれば、カバー部材の開口部がケースの２つの面を覆う部分のいずれの側に設けられていても、ＵＳＢデバイスの発光素子が発する光を電子機器の外部から視認できる。換言すれば、カバー部材に開口部を設ける位置を、電子機器の構成等に応じて２つの面から選択できる。これにより、電子機器においてＵＳＢデバイスの配置に関する制約を緩和できる。
【００１８】
［適用例５］上記適用例に係る電子機器であって、前記ＵＳＢデバイスが接続された状態で、前記ケースの前記２つの面のいずれかが前記開口部において前記カバー部材から露出することが好ましい。
【００１９】
この構成によれば、ケースの２つの面のいずれに対応させてカバー部材に開口部を設けても、ＵＳＢデバイスの発光素子が発する光を電子機器の外部から視認できる。換言すれば、カバー部材に開口部を設ける位置を、電子機器の構成等に応じて選択できる。これにより、電子機器においてＵＳＢデバイスの配置に関する制約を緩和できる。
【図面の簡単な説明】
【００２０】
【図１】第１の実施形態に係るＵＳＢデバイスの概略構成を説明する図であり、（ａ）は表側から見た平面図、（ｂ）は側面図、（ｃ）は後方から見た側面図、（ｄ）は表側のケースを外した状態のＵＳＢデバイスを表側から見た平面図。
【図２】第１の実施形態に係るＵＳＢデバイスの概略構成を説明する図であり、（ａ）は図１（ａ）のＡ−Ａ’線に沿った断面図、（ｂ）、（ｃ）は図２（ａ）のＣ部の拡大図、（ｄ）は図１（ｃ）のＢ部の拡大図。
【図３】第１の実施形態に係るプロジェクターの一例を示す斜視図であり、（ａ）は前方から見た図、（ｂ）は後方から見た図。
【図４】図３（ａ）中のＤ−Ｄ’線に沿った断面図であり、（ａ）はＵＳＢデバイスが接続された状態を示す図、（ｂ）はＵＳＢデバイスを接続する様子を示す図。
【図５】第１の実施形態に係るプロジェクターの他の例を示す斜視図であり、（ａ）は前方から見た図、（ｂ）は後方から見た図。
【図６】（ａ）、（ｂ）は第２の実施形態に係るプロジェクターの構成例を示す斜視図。
【図７】変形例１に係るＵＳＢデバイスの概略構成を説明する図であり、（ａ）は表側から見た平面図、（ｂ）は後方から見た側面図、（ｃ）は表側のケースを外した状態のＵＳＢデバイスを表側から見た平面図。
【発明を実施するための形態】
【００２１】
以下に、本実施の形態について図面を参照して説明する。なお、参照する各図面において、構成をわかりやすく示すため、各構成要素の寸法の比率等は適宜異ならせてある。
【００２２】
（第１の実施形態）
＜ＵＳＢデバイス＞
まず、第１の実施形態に係るＵＳＢデバイスについて説明する。第１の実施形態に係るＵＳＢデバイス２０は、ＵＳＢレセプタクル（受け側のコネクター）を備えた電子機器に接続される電子デバイスである。ＵＳＢデバイス２０は、電子機器に接続されることで、電子機器に所定の機能、例えば、無線通信機能を付加する。本実施形態では、ＵＳＢデバイス２０が無線通信機能を付加する無線通信デバイスである場合を例にとり説明する。
【００２３】
図１および図２は、第１の実施形態に係るＵＳＢデバイスの概略構成を説明する図である。詳しくは、図１（ａ）は表側から見た平面図であり、図１（ｂ）は側面図であり、図１（ｃ）は後方から見た側面図であり、図１（ｄ）は表側のケース２１を外した状態のＵＳＢデバイス２０を表側から見た平面図である。図２（ａ）は図１（ａ）のＡ−Ａ’線に沿った断面図であり、図２（ｂ）、（ｃ）は図２（ａ）のＣ部の拡大図であり、図２（ｄ）は図１（ｃ）のＢ部の拡大図である。
【００２４】
図１（ａ）、（ｂ）、（ｃ）、（ｄ）に示すように、ＵＳＢデバイス２０は、ケース２１およびケース２２と、ＵＳＢプラグ２３と、導光部２４と、発光素子としてのＬＥＤ３２とを備えている。本実施形態では、ＵＳＢデバイス２０において、ケース２２が配置された側を裏側と呼び、ケース２２とは反対側を表側と呼ぶ。また、ＵＳＢプラグ２３が設けられた側を前方と呼び、ＵＳＢプラグ２３とは反対側を後方と呼ぶ。
【００２５】
ケース２１は、ＵＳＢデバイス２０の表側に位置しており、互いに交差する２つの面としての面２１ａおよび面２１ｂを有している。面２１ａはケース２１の表側の面であり、面２１ｂはケース２１の後方の面である。図２（ａ）に示すように、ケース２１は、面２１ａと面２１ｂとがなす角部に開口部２７を有している。開口部２７には、ＬＥＤ３２が発する光をケース２１外へ透過させる導光部２４が設けられている。
【００２６】
図１（ｄ）および図２（ａ）に示すように、ケース２１とケース２２とで囲まれた空間には、ＵＳＢプラグ２３、ＬＥＤ３２、電子部品３１等が実装された回路基板３０が収容されている。ＬＥＤ３２は、回路基板３０上の後方側先端部に設けられている。回路基板３０上の後方側の領域３３（図１（ｄ）参照）には、無線通信を行うためのアンテナとして機能する配線パターンが形成されている。
【００２７】
ＵＳＢプラグ２３は、ケース２１から突出するように設けられている。ＵＳＢプラグ２３は、電子機器が備えるＵＳＢレセプタクルに接続するための接続端子であり、例えばタイプＡ端子である。ユーザーは、ＵＳＢレセプタクルの開口部にＵＳＢプラグ２３を挿入することによって、ＵＳＢケーブルを用いることなくＵＳＢデバイス２０を電子機器に接続させることができる。
【００２８】
ＵＳＢデバイス２０は、電子機器に接続されることによって使用可能となる。そして、使用後にＵＳＢデバイス２０を電子機器から引き抜いて離脱させれば、ＵＳＢデバイス２０を他の電子機器で使用することができる。使用時における無線通信機能の動作状況は、ＬＥＤ３２の点灯状態により視認できるようになっている。ＬＥＤ３２は、例えば、電波を送出していないときはＯＦＦ（非点灯）状態となり、無線通信接続確立時にはＯＮ（点灯）状態となり、データ通信中はＯＮ（点滅）状態となる。ＬＥＤ３２のＯＮ／ＯＦＦの駆動は、電子部品３１に含まれる回路部品内部の論理回路によって制御される。
【００２９】
図２（ａ）、（ｂ）、（ｃ）、（ｄ）に示すように、導光部２４は、ケース２１における面２１ａと面２１ｂとがなす角部に設けられている。導光部２４は、ケース２１の開口部２７に配置される部分と、ケース２１の内側に面２１ａに沿って延在する部分とを有している。
【００３０】
また、ケース２１における面２１ａと面２１ｂとがなす角部には、導光部２４よりも内側に、静電気防護板２５が設けられている。静電気防護板２５は、面２１ａに沿って延在し導光部２４と重なる部分と、面２１ｂに沿って延在する部分とを有しており、側方から見て略Ｌ字形状をなしている。静電気防護板２５は、ケース２１と導光部２４との隙間を覆うように設けられている。
【００３１】
導光部２４と静電気防護板２５とは、ピン２６によりともにケース２１に固定されている。導光部２４と静電気防護板２５とは、透光性を有する合成樹脂からなる。これにより、ＬＥＤ３２から発せられた光は、静電気防護板２５と導光部２４とを順次透過してケース２１外に射出される。
【００３２】
導光部２４には、フロスト加工等の光拡散処理が施されている。このため、ＬＥＤ３２から発せられた光は、図２（ｂ）に実線の矢印で示すように、導光部２４を透過することによって拡散され、導光部２４の面２１ａ側から面２１ｂ側に亘る領域において略均一に射出される。このような構成により、ＵＳＢデバイス２０では、一つのＬＥＤ３２から発せられる光を、表側の面２１ａおよび後方の面２１ｂの双方の側から視認することができる。
【００３３】
ここで、特許文献１に記載の無線カードのように、導光部２４が面２１ａと面２１ｂとがなす角部から離れた位置に配置される構成とした場合、ＬＥＤ３２から発せられる光を面２１ａおよび面２１ｂの双方の側から視認できるようにするには、面２１ａおよび面２１ｂのそれぞれにＬＥＤ３２と導光部２４とを設けなければならない。そうすると、ＬＥＤ３２が一つの場合に比べて、追加されるＬＥＤ３２の駆動を制御する回路部品が別途必要となる。本実施形態のＵＳＢデバイス２０では、このように面２１ａおよび面２１ｂに個別にＬＥＤ３２を設ける場合に比べて、ＬＥＤ３２を一つにすることができるとともにＬＥＤ３２の駆動を制御する回路部品も一組でよいので、ＵＳＢデバイス２０の材料コストや製造コストを抑えることができる。
【００３４】
ところで、導光部２４がケース２１の角部に設けられた開口部２７に配置されているため、図２（ｃ）、（ｄ）に破線の矢印で示すように、面２１ａ側や面２１ｂ側からケース２１と導光部２４との隙間を通って静電気がケース２１内に侵入する場合がある。静電気がケース２１内に侵入して回路基板３０に到達すると、回路基板３０上に実装されたＬＥＤ３２や電子部品３１等が静電気により破壊されてしまうおそれがある。
【００３５】
ＵＳＢデバイス２０では、ケース２１と導光部２４との隙間を覆うように静電気防護板２５が設けられているので、静電気がケース２１と導光部２４との隙間からケース２１内に侵入しても回路基板３０に到達し難くなる。これにより、回路基板３０に実装されたＬＥＤ３２や電子部品３１等の静電気による破壊を抑えることができる。
【００３６】
＜プロジェクター＞
次に、第１の実施形態に係る電子機器としてのプロジェクターについて説明する。第１の実施形態に係るプロジェクター１は、外部の画像供給装置から入力される画像情報に基づく光束をスクリーン等に投写して画像を表示する電子機器であり、ＵＳＢレセプタクルを備えている。
【００３７】
図３は、第１の実施形態に係るプロジェクターの一例を示す斜視図である。詳しくは、図３（ａ）は前方から見た図であり、図３（ｂ）は後方から見た図である。なお、図３（ａ）、（ｂ）では、プロジェクターを机上等に設置する据置き姿勢における状態を示している。図４は、図３（ａ）中のＤ−Ｄ’線に沿った断面図である。詳しくは、図４（ａ）はＵＳＢデバイスが接続された状態を示す図であり、図４（ｂ）はＵＳＢデバイスを接続する様子を示す図である。図５は、第１の実施形態に係るプロジェクターの他の例を示す斜視図である。詳しくは、図５（ａ）は前方から見た図であり、図５（ｂ）は後方から見た図である。
【００３８】
図３（ａ）、（ｂ）に示すように、第１の実施形態に係るプロジェクター１は、カバー部材としてのケース２と、ケース２の内部に収容された装置本体（図示省略）と、ケース２から露出する投写レンズ３とを備えている。本実施形態では、プロジェクター１の机上等への設置面側を裏側と呼び、設置面とは反対側を表側と呼ぶ。また、投写レンズ３が配置された側を前方と呼び、投写レンズ３とは反対側を後方と呼ぶ。
【００３９】
ケース２は、表側の面２ａと、前方の面２ｂと、後方の面２ｃとを有している。面２ａは、面２ｂおよび２ｃと交差している。ケース２の面２ｂには、開口部４が形成されている。投写レンズ３は、開口部４においてケース２から露出している。投写レンズ３は、画像情報に基づく光束をスクリーン等の投写面に投写する。
【００４０】
ケース２の面２ｃには、インターフェイスパネル５が設けられている。インターフェイスパネル５は、例えば、金属板によって構成される。インターフェイスパネル５には、画像供給装置（図示省略）から画像情報を入力するための様々な入力端子６とともに、ＵＳＢレセプタクル７が備えられている。ＵＳＢレセプタクル７は、ＵＳＢデバイスやＵＳＢケーブル等を接続可能な接続端子（タイプＡ端子）である。
【００４１】
ケース２は、面２ａと面２ｂとがなす角部に、ケース２に着脱可能に設けられた蓋部１０を有している。蓋部１０は、プロジェクター１におけるカバー部材の一部である。蓋部１０は、面２ａ側の部分と、面２ｂ側の部分とを有しており、側方から見て略Ｌ字形状をなしている。蓋部１０のうち面２ａ側の部分には、開口部１１が設けられている。
【００４２】
図４（ａ）、（ｂ）に示すように、ケース２内の面２ａ側には、ＵＳＢレセプタクル８が備えられている。ＵＳＢレセプタクル８は、ＵＳＢデバイスやＵＳＢケーブル等を接続可能な接続端子（タイプＡ端子）である。ＵＳＢレセプタクル８は、ＵＳＢデバイス２０のＵＳＢプラグ２３（図１参照）が挿入される長方形の開口部（図示しない）を備えており、本実施形態では、開口部の長辺が水平方向に沿うように配置されている。
【００４３】
また、ケース２内の面２ａ側には、ＵＳＢデバイス２０を収納するための空間部９が備えられている。このような構成により、ＵＳＢプラグ２３がＵＳＢレセプタクル８に挿入されてプロジェクター１に接続された状態で、ＵＳＢデバイス２０は蓋部１０に覆われケース２内に収納される。プロジェクター１は、無線通信デバイスであるＵＳＢデバイス２０が接続された場合に、無線通信によって送信される画像情報を受信してこの画像情報に基づく光束を投写することが可能となる。
【００４４】
蓋部１０は、面２ａ側の部分および面２ｂ側の部分の先端に突出部を有しており、これらの突出部に対応してケース２に設けられた切欠き部と嵌合することによりケース２に固定される。ＵＳＢデバイス２０を接続する際、またはＵＳＢデバイス２０を離脱する際は、図４（ｂ）に示すように、蓋部１０をケース２から外し、ＵＳＢデバイス２０を面２ａに沿って矢印の方向またはその逆方向にスライドさせる。ＵＳＢデバイス２０が接続された状態では、図４（ａ）に示すように、蓋部１０をケース２に取り付けることにより、ＵＳＢデバイス２０がケース２から露出しなくなる。
【００４５】
プロジェクター１では、接続されたＵＳＢデバイス２０がケース２から露出しないので、ＵＳＢデバイス２０の形状や外観デザインがケース２の形状や外観デザインと調和するか否かに関わらず、ＵＳＢデバイス２０を接続して使用することができる。また、接続されたＵＳＢデバイス２０をケース２内に収納することにより、ユーザーが動作中のＵＳＢデバイス２０に不用意に触れることによる動作の不具合等を防止することができる。
【００４６】
プロジェクター１に接続された状態では、ＵＳＢデバイス２０は、ケース２１の面２１ａがケース２の面２ａ側に位置するとともに面２１ｂがケース２の面２ｂ側に位置するように配置される。したがって、蓋部１０における面２ａ側の部分がケース２１の面２１ａ側を覆い、面２ｂ側の部分がケース２１の面２１ｂ側を覆う。ＵＳＢデバイス２０の使用時における無線通信機能の動作状況を表示するＬＥＤ３２の点灯状態は、蓋部１０の面２ａ側の部分に設けられた開口部１１を通して、ケース２の表側の面２ａ側から視認される。
【００４７】
上述の通り、ＵＳＢデバイス２０単体では、ＬＥＤ３２から発せられる光を面２１ａ側および面２１ｂ側のいずれの側からも視認することができる。したがって、図３（ａ）に破線で示すように、開口部１１を蓋部１０の面２ｂ側の部分に設けることも可能であり、このようにすれば、ケース２の前方の面２ｂ側から開口部１１を通してＬＥＤ３２の点灯状態を視認できる。
【００４８】
このように、ＵＳＢデバイス２０を使用することで、ケース２（蓋部１０）における表側の面２ａおよび前方の面２ｂのいずれに開口部１１を配置しても、ＬＥＤ３２が発する光をケース２外から視認することができる。換言すれば、プロジェクター１の装置本体の構成等に応じてケース２内におけるＵＳＢレセプタクル８や空間部９の配置を異ならせた場合でも、開口部１１を配置する面を面２ａおよび面２ｂの２つの面から選択して適宜設定できる。これにより、プロジェクター１において、ＵＳＢデバイス２０等の周辺装置の配置に関する制約が緩和される。この結果、プロジェクターの設計や外装デザインにおける自由度が向上するとともに、構成の異なるプロジェクターで同じＵＳＢデバイス２０を共通使用することが可能となる。
【００４９】
なお、プロジェクター１において開口部１１が設けられる面は、面２ａ，２ｂ以外の面であってもよい。例えば、図５（ａ）に示すように、面２ａ、面２ｂ、および面２ｃ（図５（ｂ）参照）と交差する面２ｄに開口部１１が設けられていてもよい。さらに、図５（ａ）に破線で示すように、プロジェクター１においてＵＳＢレセプタクル８や空間部９を配置できる位置に応じて、交差する２面がなす角部からより離れた位置に設けられていてもよい。
【００５０】
また、図５（ｂ）に示すように、ＵＳＢデバイス２０をインターフェイスパネル５に設けられたＵＳＢレセプタクル７に接続して使用することも可能である。このようにした場合、ＵＳＢデバイス２０がケース２内に収納されないので、面２ａ（面２１ａ）と面２ｃ（面２１ｂ）との双方の側からＬＥＤ３２の点灯状態を視認することができる。
【００５１】
以上説明したように、第１の実施形態に係るＵＳＢデバイス２０およびプロジェクター１の構成によれば、次の効果が得られる。
【００５２】
（１）ＵＳＢデバイス２０では、面２１ａおよび面２１ｂの２つの面がなす角部に導光部２４が配置されているので、ＬＥＤ３２が発する光を２つの面のいずれの側からも視認することができる。このため、２つの面のそれぞれにＬＥＤ３２を設ける場合に比べて、ＬＥＤ３２を一つにすることができるとともにＬＥＤ３２の駆動を制御する回路部品も一組でよいので、ＵＳＢデバイス２０の材料コストや製造コストを抑えることができる。
【００５３】
（２）ＵＳＢデバイス２０では、静電気がケース２１と導光部２４との隙間からケース２１内に侵入しても、ケース２１と導光部２４との隙間を覆うように静電気防護板２５が設けられているので、静電気がＬＥＤ３２やＬＥＤ３２の駆動を制御する回路部品等の電子部品が実装された回路基板３０に到達し難くなる。これにより、電子部品の静電気による破壊を抑えることができる。
【００５４】
（３）プロジェクター１では、接続状態のＵＳＢデバイス２０が蓋部１０で覆われケース２内に収納されるが、ＬＥＤ３２が発する光を外部へ透過させるため蓋部１０に設ける開口部１１を配置する面を、プロジェクター１の構成等に応じて選択することができる。これにより、プロジェクター１における設計の自由度が向上するとともに、構成の異なるプロジェクターで同じＵＳＢデバイス２０を共通使用することが可能となる。
【００５５】
（第２の実施形態）
＜プロジェクター＞
次に、第２の実施形態に係る電子機器としてのプロジェクターについて説明する。第２の実施形態に係るプロジェクターは、第１の実施形態に係るプロジェクターに対して、蓋部を有しておらずＵＳＢデバイスが接続された状態でＵＳＢデバイスの一部がケースから露出する点が異なっているが、その他の構成は同じである。図６（ａ）、（ｂ）は、第２の実施形態に係るプロジェクターの構成例を示す斜視図である。第１の実施形態と共通する構成要素については、同一の符号を付しその説明を省略する。
【００５６】
図６（ａ）に示す第２の実施形態に係るプロジェクター１Ａは、ケース２と、装置本体（図示省略）と、開口部４においてケース２から露出する投写レンズ３とを備えている。プロジェクター１Ａは、ケース２の前方の面２ｂにＵＳＢデバイス２０を差し込むための開口部２ｅを有しており、図示を省略するが、開口部２ｅの奥（ケース２の内部）にＵＳＢレセプタクル８を備えている。開口部２ｅは長辺が水平方向に沿うように配置されており、ＵＳＢレセプタクル８も長辺が水平方向に沿うように配置されている。
【００５７】
プロジェクター１ＡにＵＳＢデバイス２０を接続する際は、ＵＳＢデバイス２０の前方側を開口部２ｅからケース２内に差し込み、ＵＳＢプラグ２３をＵＳＢレセプタクル８に挿入する。ＵＳＢデバイス２０が接続された状態では、ＵＳＢデバイス２０の後方の面２１ｂが開口部２ｅにおいてケース２の面２ｂ側から露出する。したがって、面２１ａと面２１ｂとの角部に位置する導光部２４の面２１ｂ側がケース２から露出するので、ＬＥＤ３２の点灯状態を面２ｂ側から視認することができる。
【００５８】
図６（ｂ）に示す第２の実施形態に係るプロジェクター１Ｂは、面２ｄにおいて、面２ｂと面２ｄとがなす角部の横に配置された開口部２ｆを有している。プロジェクター１Ｂでは、ＵＳＢレセプタクル８は開口部２ｆの後方のケース２内に、長辺が垂直方向に沿うように配置されている。
【００５９】
プロジェクター１ＢにＵＳＢデバイス２０を接続する際は、ＵＳＢデバイス２０を前方の面２ｂ側から面２ｄに沿うようにスライドさせて、ＵＳＢプラグ２３をＵＳＢレセプタクル８に挿入する。ＵＳＢデバイス２０が接続された状態では、ＵＳＢデバイス２０の面２１ａと面２１ｂとが開口部２ｆにおいてケース２から露出する。したがって、面２１ａと面２１ｂとの角部に位置する導光部２４がケース２から露出するので、ＬＥＤ３２の点灯状態を面２ｂ側と面２ｄ側との双方から視認することができる。
【００６０】
このように、第２の実施形態に係るプロジェクター１Ａ，１Ｂでは、ＵＳＢデバイス２０の面２１ａおよび面２１ｂの２つの面のいずれか一方、または双方が開口部２ｅ，２ｆにおいてケース２から露出するので、ＬＥＤ３２の点灯状態をケース２の外部から視認することができる。
【００６１】
なお、プロジェクター１Ａにおいて開口部２ｅが設けられる面、およびプロジェクター１Ｂにおいて開口部２ｆが設けられる面は、上記以外の面であってもよい。また、プロジェクター１Ｂでは、ケース２が開口部２ｆから内側に窪んだ凹部を有し、ＵＳＢデバイス２０のＵＳＢプラグ２３を除く本体部分がこの凹部に収納される構成であってもよい。なお、特にプロジェクター１Ｂにおいては、ＵＳＢデバイス２０の形状や外観デザインがケース２の形状や外観デザインと調和していることが好ましい。
【００６２】
以上説明したように、第２の実施形態のプロジェクター１Ａ，１Ｂの構成によれば、ＵＳＢデバイス２０の２つの面（面２１ａおよび面２１ｂ）のいずれの側に対応させて開口部２ｅ，２ｆを設けても、ＬＥＤ３２の点灯状態をケース２の外部から視認することができる。したがって、プロジェクター１Ａ，１Ｂの装置本体の構成等に応じて、開口部２ｅ，２ｆを配置する面や位置を選択して適宜設定できる。
【００６３】
以上、本発明のＵＳＢデバイスおよびプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００６４】
（変形例１）
上記実施形態では、ＵＳＢデバイス２０が一つの発光素子を備えているが、ＵＳＢデバイス２０の構成はこれに限定されず、複数の発光素子を備えた構成であってもよい。図７は、変形例１に係るＵＳＢデバイス２０Ａの概略構成を説明する図である。詳しくは、図７（ａ）は表側から見た平面図であり、図７（ｂ）は後方から見た側面図であり、図７（ｃ）は表側のケース２１を外した状態のＵＳＢデバイス２０Ａを表側から見た平面図である。
【００６５】
図７（ａ）、（ｂ）、（ｃ）に示すように、変形例１に係るＵＳＢデバイス２０Ａは、回路基板３０上の後方側先端部に２つのＬＥＤ３２ａ，３２ｂを備えており、これらに対応してケース２１に設けられた開口部２７ａ，２７ｂと開口部２７ａ，２７ｂに配置された導光部２４ａ，２４ｂとを備えている。このような構成にすれば、プロジェクター１におけるＵＳＢデバイス２０の配置に関する制約がより緩和される。
【００６６】
また、ＬＥＤ３２ａ，３２ｂの発光色または導光部２４ａ，２４ｂの色を異ならせるとともに、ＬＥＤ３２ａ，３２ｂのＯＮ／ＯＦＦの駆動を異ならせる構成としてもよい。このような構成にすれば、２つのＬＥＤ３２ａ，３２ｂのＯＮ／ＯＦＦを組み合わせることにより、ＵＳＢデバイス２０Ａの使用時における動作状況をより多様に（より多くの異なる状態を）表示させることができる。
【００６７】
（変形例２）
上記実施形態では、ＵＳＢデバイス２０が無線通信デバイスである場合を例にして説明しているが、ＵＳＢデバイス２０は、無線通信デバイスに限定されず、ストレージデバイス等の他のデバイスであってもよい。また、本発明のＵＳＢデバイス２０の構成は、インターフェイス拡張カードやＩＥＥＥ１３９４を備えた周辺装置等にも適用可能である。
【００６８】
（変形例３）
上記実施形態のＵＳＢデバイス２０では、ＬＥＤ３２が回路基板３０上の後方側先端部、すなわち導光部２４に近い位置に設けられているが、例えば、ＬＥＤ３２と導光部２４との間に導光体を配置すること等によりＬＥＤ３２が発する光を導光部２４に導くことができれば、ＬＥＤ３２を導光部２４から離れた位置に設けてもよい。
【００６９】
（変形例４）
上記第１の実施形態のプロジェクター１において、開口部１１には透光性を有する合成樹脂等からなる導光体が備えられていてもよい。このような構成にすれば、プロジェクター１におけるＵＳＢデバイス２０のＬＥＤ３２が発する光の視認性を向上させることができる。
【００７０】
（変形例５）
上記第１の実施形態のプロジェクター１では、開口部１１が蓋部１０の面２ａ側の部分または面２ｂ側の部分のいずれかに設けられているが、蓋部１０の面２ａ側の部分および面２ｂ側の部分の双方に設けられていてもよいし、面２ａ側の部分と面２ｂ側の部分との角部に設けられていてもよい。このようにすれば、ケース２の面２ａと面２ｂとの双方の側からＬＥＤ３２の点灯状態を視認することができる。また、開口部１１が蓋部１０ではなくケース２に設けられる構成としてもよい。
【００７１】
（変形例６）
上記第１の実施形態のプロジェクター１では、蓋部１０が先端に突出部を有しており、これらの突出部に対応する切欠き部と嵌合してケース２に固定される構成を有しているが、蓋部１０の一端側がヒンジ部で支持され、ヒンジ部を支点として開閉可能に構成されていてもよい。
【００７２】
（変形例７）
上記実施形態では、電子機器がプロジェクターである場合を例にして説明しているが、電子機器は、プロジェクターに限定されず、ＵＳＢレセプタクル８を備えた電子機器であれば、ＮＡＳ（Network Attached Storage）、プリンター、無線通信のアクセスポイント等の他の電子機器であってもよい。
【符号の説明】
【００７３】
１，１Ａ，１Ｂ…プロジェクター、２…カバー部材としてのケース、２ａ，２ｂ，２ｃ，２ｄ…面、２ｅ…開口部、３…投写レンズ、４…開口部、５…インターフェイスパネル、６…入力端子、７，８…ＵＳＢレセプタクル、９…空間部、１０…カバー部材としての蓋部、１１…開口部、２０，２０Ａ…ＵＳＢデバイス、２１，２２…ケース、２１ａ，２１ｂ…面、２３…ＵＳＢプラグ、２４，２４ａ，２４ｂ…導光部、２５…静電気防護板、２６…ピン、２７，２７ａ，２７ｂ…開口部、３０…回路基板、３１…電子部品、３２，３２ａ，３２ｂ…ＬＥＤ、３３…領域。
【図１】
2011221684.tif 000003
【図２】
2011221684.tif 000004
【図３】
2011221684.tif 000005
【図４】
2011221684.tif 000006
【図５】
2011221684.tif 000007
【図６】
2011221684.tif 000008
【図７】
2011221684.tif 000009